(57)【要約】【課題】装置本体を縦置き及び横置きのいずれでも使用できるようにするときにキャップから廃液が溢れ、あるいは、廃液がキャップ内に残留する。【解決手段】縦置き及び横置きが可能な装置本体１と、装置本体１内に配置された、液滴を吐出するノズルを有する記録ヘッド４及び記録ヘッド４のノズル面４ａをキャッピングする吸引キャップ８とを備え、記録ヘッド４は装置本体１が縦置き及び横置きされたときに、いずれも斜め下方向に向けて液滴を吐出する状態で配置され、吸引キャップ８の長手方向の両端部側にはそれぞれ内外を通じる開口８３ａ、８３ａが設けられ、吸引キャップ８の両端部の開口８３ａ、８３ａを大気に開放する大気開放機構８３Ａ、８３Ａを備え、装置本体１の設置状態に応じて、上側になる開口８３ａを大気開放用開口として大気開放を行う。【選択図】図４
2014014971.tif 000002
【特許請求の範囲】
【請求項１】
縦置き及び横置きが可能な装置本体と、
前記装置本体内に配置された、液滴を吐出するノズルを有する記録ヘッド、及び、前記記録ヘッドのノズル面をキャッピングするキャップ部材と、を備え、
前記記録ヘッドは、前記装置本体が縦置き及び横置きされたときに、いずれも斜め下方向に向けて前記液滴を吐出する状態で配置され、
前記キャップ部材の長手方向の両端部側には、それぞれ内外を通じる開口が設けられ、
前記キャップ部材の両端部の前記開口を大気に開放する開閉可能な大気開放弁を備え、
前記装置本体の設置状態に応じて、上側になる前記開口を大気開放用開口として大気開放を行う
ことを特徴とする画像形成装置。
【請求項２】
前記キャップ部材は、前記記録ヘッドから排出される廃液を受容するキャップ本体部を有し、
前記キャップ本体部は、三角形状をなし、前記記録ヘッド側の辺を底辺とするとき、頂点となる部分に、吸引手段に接続される吸引口部が設けられている
ことを特徴とする請求項１に記載の画像形成装置。
【請求項３】
前記記録ヘッドのノズル面と前記装置本体の設置面とがなす角度αと、
前記キャップ部材の前記底辺と下側になる辺とがなす角度βとは、α＜βの関係にある
ことを特徴とする請求項２に記載の画像形成装置。
【請求項４】
縦置き及び横置きが可能な装置本体と、
前記装置本体内に配置された、液滴を吐出するノズルを有する記録ヘッド、及び、前記記録ヘッドのノズル面をキャッピングするキャップ部材と、を備え、
前記記録ヘッドは、前記装置本体が縦置き及び横置きされたときに、いずれも斜め下方向に向けて前記液滴を吐出する状態で配置され、
前記キャップ部材の長手方向の両端部側には、それぞれ内外を通じる開口が設けられ、
前記キャップ部材の両端部の前記開口を大気に開放する開閉可能な大気開放弁を備え、
前記キャップ部材は、前記記録ヘッドから排出される廃液を受容するキャップ本体部を有し、
前記キャップ本体部は、三角形状をなし、前記記録ヘッド側の辺を底辺とするとき、頂点となる部分に、吸引手段に接続される吸引口部が設けられ、
前記記録ヘッドのノズル面と前記装置本体の設置面とがなす角度αと、
前記キャップ部材の前記底辺と下側になる辺とがなす角度βとは、α＜βの関係にある
ことを特徴とする画像形成装置。
【請求項５】
縦置き及び横置きが可能な装置本体と、
前記装置本体内に配置された、液滴を吐出するノズルを有する記録ヘッド、及び、前記記録ヘッドのノズル面をキャッピングするキャップ部材と、を備え、
前記記録ヘッドは、前記装置本体が縦置き及び横置きされたときに、いずれも斜め下方向に向けて前記液滴を吐出する状態で配置され、
前記キャップ部材の長手方向の両端部側には、それぞれ内外を通じる開口が設けられ、
前記装置本体の設置状態に応じて、上側になる前記開口を大気開放用開口として大気開放を行い、下側になる前記開口を吸引口として吸引手段に接続する
ことを特徴とする画像形成装置。
【請求項６】
前記キャップ部材の長手方向の両端部側の前記開口は、それぞれ切り替え弁を介して、大気及び吸引手段に接続されていることを特徴とする請求項５に記載の画像形成装置。
【請求項７】
前記キャップ部材の前記開口に連結可能な、大気に通じる大気開放用連結部及び吸引手段に通じる吸引用連結部を有し、
前記装置本体の設置状態に応じて、上側になる前記開口に前記大気開放用連結部を連結し、下側になる前記開口に前記吸引用連結部を連結する
ことを特徴とする請求項５に記載の画像形成装置。
【請求項８】
前記キャップ部材の前記開口は弾性部材でシールされ、
前記大気開放用連結部及び前記吸引用連結部は、前記シール部材を貫通して刺し込み可能な中空針を有し、前記中空針を、前記シール部材を介して前記開口まで刺し込むことで前記開口と大気又は前記吸引手段とが通じた状態になり、
前記大気開放用連結部及び前記吸引用連結部の前記中空針の刺し込み量が異なる
ことを特徴とする請求項７に記載の画像形成装置。
【請求項９】
縦置き及び横置きが可能な装置本体と、
前記装置本体内に配置された、液滴を吐出するノズルを有する記録ヘッド、及び、前記記録ヘッドのノズル面をキャッピングするキャップ部材と、を備え、
前記記録ヘッドは、前記装置本体が縦置き及び横置きされたときに、いずれも斜め下方向に向けて前記液滴を吐出する状態で配置され、
前記記録ヘッドのノズル面の長手方向両端部側にはそれぞれ吸引口が設けられ、
前記キャップ部材には、内外を通じる大気開放口が設けられ、
前記大気開放口には気液分離膜を有し、
前記大気開放口を開閉する大気開放弁を備えている
ことを特徴とする画像形成装置。
【請求項１０】
縦置き及び横置きが可能な装置本体と、
前記装置本体内に配置された、液滴を吐出するノズルを有する記録ヘッド、及び、前記記録ヘッドのノズル面をキャッピングするキャップ部材と、を備え、
前記記録ヘッドは、前記装置本体が縦置き及び横置きされたときに、いずれも斜め下方向に向けて前記液滴を吐出する状態で配置され、
前記記録ヘッドのノズル面の長手方向両端部側にはそれぞれ吸引口が設けられ、
前記キャップ部材は、液体を収容した液室を形成する液室部材を有し、
前記キャップ部材の内部と前記キャップ部材の液室とは長手方向の両端部でそれぞれ通路を介して通じており、
前記通路には気液分離膜が設けられ、
前記液室部材には前記液室内外を通じる大気開放口が設けられ、
前記大気開放口には気液分離膜を有し、
前記大気開放口を開閉する大気開放弁を備えている
ことを特徴とする画像形成装置。
【請求項１１】
前記液室部材の前記液室内に収容された前記液体の量は、液面が前記大気開放口より低い位置になる量である
ことを特徴とする請求項１０に記載の画像形成装置。
【請求項１２】
液滴を吐出するノズルを有する記録ヘッドと、
前記記録ヘッドのノズル面をキャッピングするキャップ部材と、を備え、
前記記録ヘッドのノズル面の長手方向両端部側にはそれぞれ吸引口が設けられている
ことを特徴とする画像形成装置。
【発明の詳細な説明】
【技術分野】
【０００１】
本発明は画像形成装置に関し、特に液滴を吐出する記録ヘッドを備える画像形成装置に関する。
【背景技術】
【０００２】
プリンタ、ファクシミリ、複写装置、プロッタ、これらの複合機等の画像形成装置として、液滴を吐出する記録ヘッドを用いた液体吐出記録方式の画像形成装置、例えばインクジェット記録装置などが知られている。
【０００３】
液体吐出記録方式の画像形成装置にあっては、記録ヘッドのノズルの吐出安定性を維持するため、ノズル内のインク乾燥、ノズル内への埃混入防止のため、記録ヘッドのノズル面をキャッピングするキャップと、記録ヘッドのノズル面を払拭して清浄化するワイパ部材（ワイパブレード、ワイピングブレード、ブレードなどとも称される。）などを含む維持回復機構を備え、例えばノズルから増粘インクをキャップ内に排出した後、ノズル面をワイパ部材で払拭してノズルメニスカスを形成する回復動作などを行なうようにしている。
【０００４】
ところで、画像形成装置として、液滴を吐出する記録ヘッドを、液滴吐出面（ノズル面）を斜め下方に向けて配置し、装置本体を縦置き及び横置きのいずれの状態でも使用できるようにしたものが知られている（特許文献１）。
【０００５】
このような画像形成装置にあっては、縦置き、横置きのいずれの状態にしても、記録ヘッドからキャップ内に排出される液体（廃液）がキャップから漏れ出さないようにする必要がある。
【０００６】
そこで、上記特許文献１に開示の装置にあっては、いずれの形態でもキャップの底面が鉛直方向について斜めになるまたは立ち上がることにより、キャップの底面上の廃液がキャップ側壁を伝ってキャップの外側に漏れ出すことを防ぐため、縦置き及び横置きのうちの一方において底面となるキャップ底面、及び、キャップ底面から記録ヘッドに向かって立ち上がり、キャップ底面との間に凹部を形成するキャップ側壁を有し、凹部において記録ヘッドから吐出されたインクを廃液として受け取るキャップと、縦置き及び横置きのうちの他方においてキャップ側壁のうちの底面となる位置に配され、凹部内の廃液を溜める廃液溜め部とを備え、廃液溜め部はキャップ側壁から凹部に向かって立ち上った堰き止め部を有する構成を採用している。
【先行技術文献】
【特許文献】
【０００７】
【特許文献１】特開２００６−１４２６２５号公報
【発明の概要】
【発明が解決しようとする課題】
【０００８】
しかしながら、特許文献１に開示されている構成にあっては、キャップの開口部が水平になる置き方に比べ、キャップを斜めに立てた場合には、堰き止め壁を超えない程度にキャップ内へ排出する廃液の排出量を抑制する必要があり、排出量が多くなると、堰き止め壁を超えて外部に溢れ出すことになる。
【０００９】
また、縦置きにしたときには、キャップの吸引口よりも下側で堰き止め壁で堰き止められる廃液を排出できず、また、凹部の毛管力で廃液が保持されてキャップ内から排出しきれない場合が生じる。
【００１０】
このように、キャップ内に廃液が残存すると、インク中の固形分が堰き止め壁や凹部に堆積することで、経時的には漏れ出し防止機能が損なわれてしまうことになる。また、これらキャップ内に残存するインクが乾燥によって失った水分をノズル内から奪うことでキャッピング後の吐出信頼性を損なったりするなどの問題がある。
【００１１】
本発明は上記の課題に鑑みてなされたものであり、装置本体の置き方によらず、キャップから廃液の溢れ出しを防止し、キャップ内に排出された廃液の残留を低減することを目的とする。
【課題を解決するための手段】
【００１２】
上記の課題を解決するため、本発明の請求項１に係る画像形成装置は、
縦置き及び横置きが可能な装置本体と、
前記装置本体内に配置された、液滴を吐出するノズルを有する記録ヘッド、及び、前記記録ヘッドのノズル面をキャッピングするキャップ部材と、を備え、
前記記録ヘッドは、前記装置本体が縦置き及び横置きされたときに、いずれも斜め下方向に向けて前記液滴を吐出する状態で配置され、
前記キャップ部材の長手方向の両端部側には、それぞれ内外を通じる開口が設けられ、
前記キャップ部材の両端部の前記開口を大気に開放する開閉可能な大気開放弁を備え、
前記装置本体の設置状態に応じて、上側になる前記開口を大気開放用開口として大気開放を行う
構成とした。
【発明の効果】
【００１３】
本発明によれば、装置本体の置き方にかかわらず、キャップからの廃液の溢れ出しを防止し、キャップ内での残留廃液を低減することができる。
【図面の簡単な説明】
【００１４】
【図１】本発明に係る画像形成装置の一例を示す縦置き状態での側面説明図である。
【図２】同じく横置き状態での側面説明図である。
【図３】同じく縦置き状態での正面説明図である。
【図４】本発明の第１実施形態の説明に供する縦置き状態での吸引キャップ部分の側面説明図である。
【図５】同じく横置き状態での吸引キャップ部分の側面説明図である。
【図６】同じく吸引キャップの正面説明図である。
【図７】同じくノズル吸引動作の説明に供するフロー図である。
【図８】比較例の説明に供する側面説明図である。
【図９】本発明の第２実施形態の説明に供する縦置き状態での吸引キャップ部分の側面説明図である。
【図１０】同じく横置き状態での吸引キャップ部分の側面説明図である。
【図１１】同吸引キャップの正面説明図である。
【図１２】第１実施形態と第２実施形態の廃液収容量の違いの説明に供する説明図である。
【図１３】本発明の第３実施形態の説明に供する縦置き状態での吸引キャップ部分の側面説明図である。
【図１４】同じく横置き状態での吸引キャップ部分の側面説明図である。
【図１５】本発明の第４実施形態の説明に供する吸引キャップの正面説明図である。
【図１６】同実施形態の作用説明に供する吸引キャップ部分の側面説明図である。
【図１７】本発明の第５実施形態の説明に供する吸引キャップの側面説明図である。
【図１８】同じく正面説明図である。
【図１９】図１８のＢ−Ｂ線に沿う断面説明図である。
【図２０】図１７のＡ−Ａ線に沿う断面説明図である。
【図２１】図１８のＣ−Ｃ線に沿う断面説明図である。
【図２２】吸引キャップに設けた連結部の孔と連結する大気開放機構の連結部の具体例の説明に供する断面説明図である。
【図２３】吸引キャップに設けた連結部の孔と連結する吸引手段の連結部の具体例の説明に供する断面説明図である。
【図２４】同実施形態の作用説明に供する説明図である。
【図２５】本発明の第６実施形態の説明に供する装置本体を縦置きにした状態でのヘッド及びキャップ部分の模式的断面説明図である。
【図２６】同じく装置本体を横置きにした状態でのヘッド及びキャップ部分の模式的断面説明図である。
【図２７】本発明の第７実施形態の説明に供する装置本体を縦置きにした状態でのヘッド及びキャップ部分の模式的断面説明図である。
【図２８】同じく装置本体を横置きにした状態でのヘッド及びキャップ部分の模式的断面説明図である。
【図２９】本発明の第８実施形態の説明に供するヘッド及びキャップ部分の模式的断面説明図である。
【図３０】本発明の第９実施形態の説明に供するヘッド及びキャップ部分の模式的断面説明図である。
【図３１】本発明の第１０実施形態の説明に供するヘッド及びキャップ部分の模式的断面説明図である。
【図３２】図２７の構成を上向き吐出方式に適用した場合の説明に供するヘッド及びキャップ部分の模式的断面説明図である。
【図３３】本発明の第１１実施形態の説明に供するヘッド及びキャップ部分の模式的断面説明図である。
【図３４】本発明の第１２実施形態の説明に供するヘッド及びキャップ部分の模式的断面説明図である。
【図３５】本発明の第１３実施形態の説明に供するキャップ部分の模式的断面説明図である。
【図３６】図３５のＤ−Ｄ線に沿う断面説明図である。
【発明を実施するための形態】
【００１５】
以下、本発明の実施の形態について添付図面を参照して説明する。まず、本発明に係る画像形成装置について図１ないし図３を参照して説明する。なお、図１は同画像形成装置の縦置き状態での側面説明図、図２は同じく横置き状態での側面説明図、図３は同じく縦置き状態での正面説明図である。
【００１６】
この画像形成装置は、装置本体１内に、ガイド部材２に移動可能に支持されたキャリッジ３を有し、キャリッジ３には液滴を吐出する記録ヘッド４が搭載されている。ここで、記録ヘッド４は斜め下方に向けて液滴を吐出する状態でキャリッジ３に搭載されて配置されている。
【００１７】
そして、用紙５を図示しない搬送機構によって搬送し、ガイドローラ６、６によって記録ヘッド４に対向して間歇的に搬送しながら、キャリッジ３を移動走査し、記録ヘッド４から液滴を吐出することで画像を形成する。
【００１８】
キャリッジ３の走査方向一方側の非記録領域には、記録ヘッド４のノズルの状態を維持し、回復するための維持回復機構７を配置している。
【００１９】
この維持回復機構７は、記録ヘッド４のノズル面をキャピングするためのキャップ部材である吸引キャップ８を有している。この吸引キャップ８には、図示しない吸引チューブを介して吸引手段である吸引ポンプなどが接続され、吸引ポンプで吸引された廃液は廃液タンク９に排出される。なお、維持回復機構７にはノズル面を払拭するワイパ部材や画像形成に寄与しない液滴を吐出空吐出受けなども備えられる。
【００２０】
この画像形成装置では、装置本体１を図１に示すように縦置きに設置して使用することも、装置本体１を図２に示すように横置きに設置して使用することもできる。
【００２１】
このとき、記録ヘッド４及び維持回復機構７の吸引キャップ８はいずれの使用形態でも斜めに配置された状態となる。
【００２２】
次に、本発明の第１実施形態について図４ないし図６を参照して説明する。図５は縦置き状態での吸引キャップ部分の側面説明図、図５は横置き状態での吸引キャップ部分の側面説明図、図６は同じく吸引キャップの正面説明図である。なお、図４及び図５では大気開放弁は模式的に示している。
【００２３】
吸引キャップ８は、記録ヘッド４の液滴を吐出するノズルが形成されたノズル面４ａに当って接触する弾性変形可能な接触部８１と、内部に空間が形成されたキャップ本体８２とを有している。
【００２４】
ここで、キャップ本体８２は、側面形状で略三角形状をなしている。そして、キャップ本体８２の三角形の底辺となる長手方向両端部側にはそれぞれ開口である大気開放口８３ａが設けられて、各大気開放口８３ａを開閉する大気開放弁８３Ａ，８３Ｂ（区別しないときは「大気開放弁８３」という。）が設けられている。また、キャップ本体８２の三角形の頂点部分には、吸引チューブ８６を介して図示しない吸引手段である吸引ポンプに接続される吸引口部８４が設けられている。
【００２５】
このキャップ本体８２は、装置本体１が縦置き及び横置きのいずれの状態で設置されても、大気開放弁８３Ａ及び大気開放弁８３Ｂで開閉されるいずれかの大気開放口８３ａが吸引口部８４よりも上方に位置する形状としている。
【００２６】
ここでは、さらに、キャップ本体８２は、装置本体１が縦置き及び横置きのいずれの形態となっても、大気開放弁８３Ａ及び大気開放弁８３Ｂのいずれの大気開放口８３ａも吸引口部８４より上方に位置する形状としている。
【００２７】
このとき、記録ヘッド４のノズル面４ａと水平面（装置本体１の接地面）とがなす角度α（α１、α２）と、吸引キャップ８のキャップ本体８２のノズル面側の辺と下側になる辺とがなす角度β（β１、β２）とは、α＜βの関係にある。つまり、α１≦β１で、かつ、α２＜β２の関係にある。この関係にすることで、吸引キャップ８の長手方向両端部は吸引口部８４に対して常に上方に位置することになる。ここでは、記録ヘッド４は角度αが４５°になるように配置している。
【００２８】
大気開放弁８３Ａ、８３Ｂは、図６に示すように、装置本体１側に設けられる大気開放機構８５によって開閉される。大気開放機構８５は、例えばソレノイドやモータとギヤの組合せなどで構成している。
【００２９】
次に、記録ヘッドから吸引を行うときの動作について図７のフロー図を参照して説明する。
【００３０】
まず、記録ヘッド４と吸引キャップ８とを対向させて吸引キャップ８を記録ヘッド４側に向けて移動させ、ノズル面４ａを吸引キャップ８でキャッピングする。その後、吸引ポンプを駆動して記録ヘッド４のノズルから吸引キャップ８内にインク（液体）を吸引排出させる（この動作を「ノズル吸引」又は「ヘッド吸引」という。）。
【００３１】
その後、大気開放機構８５によって大気開放弁８３を開き、吸引キャップ８内部を大気に開放する。この状態で、吸引ポンプを駆動して、吸引キャップ８内に排出されたインク（廃液）を廃液タンク９に排出する。
【００３２】
そして、吸引キャップ８を記録ヘッド４のノズル面４ａから離間させる（デキャップ）。
【００３３】
ここで、大気開放を行うとき、装置本体１が縦置き及び横置きのいずれの状態であっても、大気開放弁８３Ａ、８３Ｂのいずれの大気開放口８３ａも吸引口部８４より上方に位置しているので、上側になる大気開放弁８３を開放する（大気開放口８３ａを開ける）ことで、吸引キャップ８内を確実に大気に開放することができる。
【００３４】
そして、キャッピング状態で吸引キャップ８内を大気開放して吸引を行うことにより、吸引キャップ８内に排出された廃液を確実に外部に排出した後でキャップを行うことができ、吸引キャップ８からの廃液の溢れ出しが防止される。
【００３５】
このようにして、装置本体１の置き方にかかわらず、吸引キャップ８からの廃液の溢れ出しを防止して、かつ、吸引キャップ８内での廃液の残留を低減ないし無くすることができて、信頼性の高い維持回復動作を行うことができる。
【００３６】
ここで、比較例について図８を参照して説明する。
【００３７】
この比較例の構成は、吸引キャップ８の一方の端部に大気開放口を含む大気開放弁８３を、他方の端部に吸引ポンプに接続される吸引口部８４を設けたものである。
【００３８】
このような構成の場合、例えば図８（ａ）に示す縦置き状態では、大気開放弁８３が上側になるので、ノズル吸引によって廃液３００を吸引キャップ８内に排出した後、大気開放弁８３を開いて吸引キャップ８内を大気開放した状態で、吸引キャップ８内の廃液３００を吸引口部８４から吸引排出することができる。
【００３９】
これに対し、図８（ｂ）に示す横置き状態では、大気開放弁８３が下側になるので、ノズル吸引によって廃液３００をキャップ８内に排出すると、大気開放口が廃液３００で覆われることになり、大気開放弁８３を開くと廃液３００が流出することになるため、ノズル吸引後大気開放弁８３を開いて吸引キャップ８内を大気開放した状態で、吸引キャップ８内に排出された廃液３００を吸引排出することができなくなる。
【００４０】
大気開放を行うことができないと、吸引キャップ８から吸引排出しようとしてもノズルから吸引キャップ８内にインクが排出され続けることになって、回復動作を行うことができなくなる。しかも、吸引キャップ８内に廃液３００を排出した状態でデキャップを行うと、斜め配置のために吸引キャップ８から廃液３００が溢れ出してしまうことになる。
【００４１】
つまり、比較例の構成では、記録ヘッドから斜め下方向に液滴を吐出するように配置して、かつ、装置本体を縦置き及び横置きのいずれの状態でも使用するようにすることはできなくなる。
【００４２】
これに対し、本実施形態の構成は、記録ヘッドから斜め下方向に液滴を吐出するように配置して、かつ、装置本体を縦置き及び横置きのいずれの状態にしても、吸引キャップを大気開放することができるので、装置本体の縦置き及び横置き使用が可能になり、かつ、信頼性の高い維持回復動作を行うことができる。
【００４３】
なお、本実施形態では、装置本体１の形態にかかわらず、大気開放弁８３Ａ、８３Ｂが同じ位置になる（例えば大気開放弁８３Ａの位置に大気開放弁８３Ｂが移動する）ように構成しているが、大気開放弁８３Ａ、８３Ｂの位置が装置本体１の形態によって同じ位置にならない場合には、大気開放機構８５を装置本体１内で移動可能に配置したり、あるいは、それぞれに対応する大気開放機構８５を設置したりするようにすればよい。
【００４４】
次に、本発明の第２実施形態について図９ないし図１１を参照して説明する。図９は縦置き状態での吸引キャップ部分の側面説明図、図１０は横置き状態での吸引キャップ部分の側面説明図、図１１は同吸引キャップの正面説明図である。
【００４５】
本実施形態では、吸引キャップ８の長手方向中央部に大気開放弁８３で開閉される大気開放口８３ａを配置している。ここでも、記録ヘッド４のノズル面４ａと水平面（装置本体１の接地面）とがなす角度αと、吸引キャップ８のキャップ本体８２のノズル面側の辺と下側になる辺とがなす角度βとは、α＜βの関係にある。
【００４６】
このように構成しても、吸引キャップ８内に吸引排出された廃液はキャップ本体８２内に収容されるので、大気開放弁８３を大気開放することで、吸引キャップ８内を大気開放して吸引キャップ８から廃液を排出することができる。
【００４７】
ここで、前記第１、第２実施形態の違いについて図１２を参照して説明する。図１２（ａ）は第１実施形態の吸引キャップ内の廃液量の説明に供する正面説明図、（ｂ）は第２実施形態の吸引キャップ内の廃液量の説明に供する正面説明図である。
【００４８】
第１実施形態では、吸引キャップ８の長手方向両端部にそれぞれ大気開放弁８３を配置しているので、選択的に大気開放弁８３を開放することができる。これにより、吸引キャップ８内には、吸引キャップ８の開口部の最も高い位置に配置される上側の大気開放弁８３の近傍まで廃液３００を収容することができる。
【００４９】
これに対し、第２実施形態では、吸引キャップ８の長手方向中央部に大気開放弁８３を配置している。そのため、吸引キャップ８内には、大気開放弁８３より下側となる長手方向中央部近傍までしか廃液３００を収容することができない。
【００５０】
つまり、ノズル吸引を行った後、大気開放弁８３を開放して大気開放口８３ａを開くとき、開かれる大気開放口８３ａの位置まで廃液を収容していると、大気開放口８３ａに廃液が侵入するので、廃液の収容高さは開かれる大気開放口８３ａよりも下側にとどめる必要がある。
【００５１】
そのため、第２実施形態では第１実施形態よりも吸引キャップ８内に収容できる廃液量が少なくなる。
【００５２】
また、第２実施形態のような構成を採用するときには、大気開放口８３ａを超えない範囲の廃液量となるように吸引量や吸引キャップ８への吐出量を制御しつつ、特に吸引後には待ち時間を設けるなどして、廃液が重力により大気開放口８３ａよりも下側に確実に集まってから大気開放弁８３を開放する制御を行うようにすることが好ましい。
【００５３】
次に、本発明の第３実施形態について図１３及び図１４を参照して説明する。図１３は縦置き状態での吸引キャップ部分の側面説明図、図１４は横置き状態での吸引キャップ部分の側面説明図である。
【００５４】
本実施形態では、吸引キャップ８の長手方向の両端部に、それぞれ、吸引口及び大気開放口となる開口９０を設けて、これらの開口９０に通じる経路９１Ａ、９１Ｂを設け、各経路９１Ａ、９１Ｂは、切り替え弁である三方弁９２を介して大気に通じるとともに、経路９３及び三方弁９４を介して吸引ポンプ９５に接続している。
【００５５】
このように構成したので、装置本体１を縦置きで使用するときには、図１３に示すように経路９１Ａに通じる開口９０が上側に、経路９１Ｂが通じる開口９０が下側になる。
【００５６】
そこで、三方弁９４を経路９１Ｂ側に、三方弁９２Ｂを吸引ポンプ９５側に、三方弁９２Ａを吸引ポンプ側に、それぞれ切り替えて、ノズル吸引を行う。その後、三方弁９２Ａを大気側に切り替えることで、経路９１Ａを通じて吸引キャップ８内が大気開放されるので、吸引ポンプ９５によって吸引キャップ８内の廃液を吸引排出する。
【００５７】
また、装置本体１を横置き形態で使用するときには、図１４に示すように経路９１Ａに通じる開口９０が下側に、経路９１Ｂが通じる開口９０が上側になる。
【００５８】
そこで、三方弁９４を経路９１Ａ側に、三方弁９２Ａを吸引ポンプ９５側に、三方弁９２Ｂを吸引ポンプ側に、それぞれ切り替えて、ノズル吸引を行う。その後、三方弁９２Ｂを大気側に切り替えることで、経路９１Ｂを通じて吸引キャップ８内が大気開放されるので、吸引ポンプ９５によって吸引キャップ８内の廃液を吸引排出する。
【００５９】
このように、キャップ部材の長手方向両端部にそれぞれ設けた開口のうち、装置本体１の置き方に応じて、上側になる開口を大気開放口として、下側になる開口を吸引口（部）として使用することで、前記第１実施形態と同様の作用効果を得ることができる。
【００６０】
次に、本発明の第４実施形態について図１５及び図１６を参照して説明する。図１５は同実施形態における吸引キャップ部分の正面説明図、図１６は同実施形態の作用説明に供する吸引キャップ部分の側面説明図である。
【００６１】
本実施形態では、吸引キャップ８の長手方向両端部に、それぞれ大気開放口を含む大気開放弁８３Ａ、８３Ｂと、吸引口部８４Ａ、８４Ｂを設けている。
【００６２】
この構成においては、装置本体１の形態に応じて、上側になる大気開放口を含む大気開放弁８３で大気開放し、下側になる吸引口部８４から吸引を行う。例えば、図１６に示す状態では、上側になる大気開放弁８３Ａを大気開放機構８５で大気開放し、下側になる吸引口部８４Ｂから吸引を行う。
【００６３】
これにより、前記第１実施形態と同様の作用効果を得ることができる。
【００６４】
次に、本発明の第５実施形態について図１７ないし図２１を参照して説明する。図１７は同実施形態における吸引キャップの側面説明図、図１８は同じく正面説明図、図１９は図１８のＢ−Ｂ線に沿う断面説明図、図２０は図１７のＡ−Ａ線に沿う断面説明図、図２１は図１８のＣ−Ｃ線に沿う断面説明図である。
【００６５】
本実施形態では、吸引キャップ８の長手方向両端部の側面にそれぞれ開口である孔１０１Ａ、１０１Ｂを有する連結部１０２Ａ、１０２Ｂを設けている。孔１０１Ａ、１０１Ｂは弾性部材などのシール部材１０４でシールされた状態にあり、外部から吸引手段や大気開放手段との連結部材を接続及び離間可能に連結することができる。
【００６６】
なお、ここではキャップ本体８２内に廃液を吸収する吸収部材１０３を設けている。また、キャップ本体８２の内底面１０５は孔１０１に向かって傾斜する傾斜面として、廃液の残留を低減している。
【００６７】
ここで、吸引キャップ８に設けた連結部１０２の孔１０１と連結する大気開放機構の連結部の具体例について図２２を参照して説明する。図２２は同説明に供する断面説明図である。
【００６８】
吸引キャップ８の連結部１０２内には弾性変形可能なシール部材１０４が設けられて、孔１０１は常時閉じられている。
【００６９】
一方、大気解放機構の連結部１１２は、内部に連結部材（連結経路部材）としての中空針１１３が配置され、中空針１１３の先端部側には弾性部材１１４が移動可能に設けられ、弾性部材１１４を前方側（連結部１０２方向）に押すばね１１５が設けられている。中空針１１３の進退方向と直交する側面には内外を通じる孔１１３ａが形成されている。
【００７０】
また、吸引キャップ８の連結部１０２の先端部は大気開放機構の連結部１１２内に弾性部材１１４を押しながら嵌り込む形状としている。
【００７１】
図２２（ａ）に示す状態から大気開放機構の連結部１１２を吸引キャップ８側に移動させることで、図２２（ｂ）に示すように、吸引キャップ８の連結部１０２の先端部が大気開放機構の連結部１１２を内側に押しながら進入し、このとき、中空針１１３もシール部材１０４に刺さりながら進入する。この段階では、中空針１１３の孔１１３ａはシール部材１０４でシールされた状態にあり、吸引キャップ８の孔１０１は大気と通じていない。
【００７２】
そして、図２２（ｃ）に示すように、吸引キャップ８の連結部１０２の先端部が弾性部材１１４で密閉された状態で、中空針１１３の孔１１３ａがシール部材１０４を越えて孔１０１内まで進入することで、吸引キャップ８の孔１０１が中空針１１３の孔１１３ａ及び中空針１１３内部を通じて大気と通じる。
【００７３】
次に、吸引キャップ８に設けた連結部１０２の孔１０１と連結する吸引手段の連結部の具体例について図２３を参照して説明する。図２３は同説明に供する断面説明図である。
【００７４】
大気解放機構の連結部１１２と同様に、吸引手段の連結部１２２は、内部に連結部材（連結経路部材）としての中空針１２３が配置され、中空針１２３の先端部側には弾性部材１２４が移動可能に設けられ、弾性部材１２４を前方側（連結部１０２側）に押すばね１２５が設けられている。
【００７５】
ここで、中空針１２３の進退方向と直交する側面には内外を通じる孔１２３ａが形成されている。そして、この吸引手段の連結部１２２の中空針１２３の孔１２３ａは、上記大気開放機構の連結部１１２の中空針１１３の孔１１３ａよりも先端側に設けられている。
【００７６】
また、吸引キャップ８の連結部１０２の先端部は吸引手段の連結部１２２内に弾性部材１２４を押しながら嵌り込む形状としている。
【００７７】
図２３（ａ）に示す状態から吸引手段の連結部１２２を吸引キャップ８側に移動させることで、図２３（ｂ）に示すように、吸引キャップ８の連結部１０２の先端部が吸引手段の連結部１２２を内側に押しながら進入し、このとき、中空針１２３もシール部材１０４に刺さりながら進入する。
【００７８】
ここで、吸引手段の連結部１２２の中空針１２３の孔１２３ａは、上述したように、大気開放機構の連結部１１２の中空針１１３の孔１１３ａよりも先端側に設けられているので、この段階（図２３（ｂ）の段階）で、中空針１２３の孔１２３ａはシール部材１０４によるシールが解除された状態になり、吸引キャップ８の孔１０１は、中空針１２３の孔１２３ａ及び中空針１２３内部を通じて吸引手段（吸引ポンプ）と通じる。
【００７９】
そして、吸引キャップ８の孔１０１が中空針１２３の孔１２３ａ及び中空針１２３内部を通じて吸引手段（吸引ポンプ）と通じた状態のまま、図２３（ｃ）に示すように中空針１２３が孔１０１内まで進入する。
【００８０】
つまり、中空針の孔位置が大気開放機構と吸引手段とで異なることにより、連結度合い浅深に応じて、吸引機構と大気解放機構との連結を制御することが可能である。図２３で説明したように、浅めの連結で吸引機構と通じるようにすれば、浅い連結にてノズル吸引が可能で、図２２で説明したように、深い連結にて大気開放を実施し、吸引ポンプを駆動することでキャップ内吸引が可能になる。これにより、ヘッド吸引、大気開放、キャップ内吸引を簡単に連続して行うことが可能になる。
【００８１】
このように、本実施形態では、外部の機構と連結することで、吸引キャップ内を吸引したり、吸引キャップ内を大気開放したりすることができる。
【００８２】
また、例えば図２４に示すように、各孔に連結する機構を入れ替えることも可能である。この図２４（ａ）は大気開放機構の連結部１１２と吸引手段の連結部１２２とが独立している例であり、それぞれを水平方向に直線的（矢印方向）に移動して入れ替えることができる。例であり、図２４（ｂ）は大気開放機構の連結部１１２と吸引手段の連結部１２２とが所定距離で連結している例であり、それぞれを回転（矢印方向）させて入れ替えることができる。
【００８３】
このようにすれば、吸引キャップ内に設ける孔を少なくすることができ、シール性能の低下要因を減らすことができる。
【００８４】
次に、本発明の第６実施形態について図２５及び図２６を参照して説明する。図２５は装置本体を縦置きにした状態でのヘッド及びキャップ部分の模式的断面説明図、図２６は装置本体を横置きにした状態でのヘッド及びキャップ部分の模式的断面説明図である。
【００８５】
記録ヘッド２０４は、ノズル面２０４ａの長手方向両端部側にそれぞれ吸引口２１１ａ、２１２ａが設けられ、吸引口２１１ａは吸引経路２１１を通じて、吸引口２１２ａは吸引経路２１２を通じて、図示しない吸引手段である吸引ポンプに通じる共通経路２１３に接続されている。
【００８６】
一方、キャップ部材（以下、単に「キャップ」という。）２０８は、記録ヘッド２０４のノズル面２０４ａを吸引口２１１ａ、２１２ａを含めてキャッピングする。
【００８７】
このキャップ２０８の長手方向中央部には大気開放部２１５が設けられている。大気開放部２１５は大気開放口である大気開放路２１６と、大気開放路２１６を開閉する大気開放弁２１７を有し、また、大気開放路２１６とキャップ２０８内との間には気液分離膜２１８が設けられている。
【００８８】
このように構成したので、ノズル吸引を行うときには、大気開放弁２１７を閉じた状態にして図示しない吸引ポンプを駆動することにより、吸引口２１１ａ、２１２ａからキャップ２０８内が吸引されてノズルから液体がキャップ２０８内に排出される。
【００８９】
その後、大気開放弁２１７を開放し、吸引ポンプを動作させると、気液分離膜２１８を通って空気がキャップ２０８内に入り、キャップ２０８内の廃液３００は吸引口２１１ａ又は２１２ａ或いはその両方から吸引経路２１１、２１２及び共通経路２１３を通じて排出される。
【００９０】
このとき、気液分離膜２１８を設けているので、キャップ２０８内の廃液３００が大気開放路２１６内に侵入することなく、キャップ２０８内の廃液の排出を行うことができる。
【００９１】
このように、図２５に示すように装置本体が縦置き状態にあるときでも、図２６に示すように装置本体が横置き状態にあるときでも、キャップ２０８でノズル面２０４ａをキャッピングしたままキャップ２０８内を大気開放することができる。これにより、装置本体を縦置き及び横置きにしても、前記第１実施形態と同様に、信頼性の高い維持回復を行うことができる。
【００９２】
次に、本発明の第７実施形態について図２７及び図２８を参照して説明する。図２７は装置本体を縦置きにした状態でのヘッド及びキャップ部分の模式的断面説明図、図２８は装置本体を横置きにした状態でのヘッド及びキャップ部分の模式的断面説明図である。なお、各図（ａ）はキャピング状態、（ｂ）はデキャップ状態を示している。
【００９３】
前記第６実施形態の場合、キャップ２０８内に排出された廃液３００の量によっては、図２５に示すように、廃液３００の液面よりも低い位置に大気開放路２１６が位置して、大気が流入するときに気泡３０１が発生するおそれがある。
【００９４】
そこで、本実施形態では、キャップ２０８の背面側に、内部に液室２２１を形成した液室部材２２２を設け、液室部材２２２の液室２２１とキャップ２０８内の長手方向両端部とを通路２２３Ａ、２２３Ｂで通じさせ、液室部材２２２の液室２２１に大気を導入可能な前記第６実施形態と同様な大気開放部２１５を設けている。
【００９５】
そして、液室２２１内には液体２３０を充填している。この液体２３０の充填量は、液体２３０の液面が大気開放路２１６よりも低い位置になる量としている。
【００９６】
また、通路２２３Ａ、２２３Ｂの液室２２１側には気液分離膜２１８Ａ，２１８Ｂを設け、大気開放路２１６の液室２２１側には気液分離膜２１８Ｃを設けている。
【００９７】
このように構成したので、図２７に示すように記録ヘッド２０４が右下打ちの状態に配置されたとき（装置本体が縦置きのとき）には、液室２２１内の液体２３０は通路２２３Ｂ側に流動して溜まり、通路２２３Ｂが閉じられた状態になる。
【００９８】
この状態で、大気開放弁２１７を開放して、キャップ２０８でノズル面２０４ａをキャッピングした状態で、大気開放弁２１７を開放し、吸引ポンプで吸引を行うと、大気開放路２１６からから液室２２１に入った空気は、実線矢印で示すように、気液分離膜２１８Ａを通り、キャップ２０８内に入るので、キャップ２０８内の廃液が空になるまで廃液を吸引排出することができる。
【００９９】
このとき、大気開放路２１６から入った空気は、上方の通路２２３Ａからキャップ２０８内に入ることで、キャップ２０８内の廃液３００内に侵入して気泡を発生させることが防止される。
【０１００】
同様に、図２８に示すように記録ヘッド２０４が左下打ちの状態に配置されたとき（装置本体が横置きのとき）には、液室２２１内の液体２３０は通路２２３Ａ側に流動して溜まり、通路２２３Ａが閉じられた状態になる。
【０１０１】
この状態で、大気開放弁２１７を開放して、吸引ポンプで吸引を行うと、大気開放路２１６からから液室２２１に入った空気は、実線矢印で示すように、気液分離膜２１８Ｂを通り、キャップ２０８内に入るので、キャップ２０８内の廃液が空になるまで廃液を吸引排出することができる。
【０１０２】
このとき、大気開放路２１６から入った空気は、上方の通路２２３Ｂからキャップ２０８内に入ることで、キャップ２０８内の廃液３００内に侵入して気泡を発生させることが防止される。
【０１０３】
また、液室部材２２２の液室２２１内に液体２３０を充填することで、下側になる通路２２３からキャップ２０８内に空気が侵入して気泡が発生し、気泡がノズル面に付着して維持回復の信頼性が低下することも防止できる。
【０１０４】
このように、前記第６実施形態の作用効果に加えて気泡の発生を防止できる。
【０１０５】
次に、本発明の第８実施形態について図２９を参照して説明する。図２９は同実施形態の説明に供するヘッド及びキャップ部分の模式的断面説明図である。
【０１０６】
本実施形態は、前記第７実施形態の構成を、記録ヘッド２０４から水平方向に液滴を吐出するように記録ヘッド２０４を配置した例に適用したものである。具体的な構成及び作用は前記第７実施形態と同様であるので、説明は省略する。この場合、下側になる通路２２３Ｂは常に大気を導入しない状態に保たれる。
【０１０７】
なお、この場合、キャップに最大負圧がかかっても液体が気液分離膜を通過しない液体２３０と気液分離膜２１８の組み合わせとする必要がある。
【０１０８】
次に、本発明の第９実施形態について図３０を参照して説明する。図３０は同実施形態の説明に供するヘッド及びキャップ部分の模式的断面説明図である。
【０１０９】
本実施形態は、前記第７実施形態の構成を、記録ヘッド２０４から垂直方向下向きに液滴を吐出するように記録ヘッド２０４を配置した例に適用したものである。
【０１１０】
この構成の場合、気液分離膜２１８Ｃ側（大気開放路２１６側）に液体２３０が流動し、大気開放弁２１７を開放して吸引ポンプで吸引を行うと、気液分離膜２１８Ｃから液体２３０を通り抜けるように空気が入ることは可能であるので、キャップ２０８内を大気開放しての吸引動作を行うことができる。
【０１１１】
ただし、この構成の場合には、吸引口２１１ａ、２１２ａはキャップ２０８に対して上側にあるため、キャップ２０８内の廃液を空にすることはできないが、キャップ２０８をデキャップしてもキャップ２０８内に廃液が保持されるため、液垂れは起こらない。
【０１１２】
次に、本発明の第１０実施形態について図３１及び図３２を参照して説明する。図３１は同実施形態の説明に供するヘッド及びキャップ部分の模式的断面説明である。
【０１１３】
本実施形態は、前記第７実施形態の構成を、記録ヘッド２０４から垂直方向上向きに液滴を吐出するように記録ヘッド２０４を配置した例に適用した上で、通路２２３Ａ、２２３Ｂを液室２２１内の液体２３０の液面より高くなる位置まで突出させている。
【０１１４】
つまり、前記第７実施形態の構成を、記録ヘッド２０４から垂直方向上向きに液滴を吐出するように配置した例にそのまま適用すると、図３２に示すように、気液分離膜２１８Ａ、２１８Ｂ側（通路２２３Ａ、２２３Ｂ側）に液体２３０が流動し、通路２２３Ａ，２２３Ｂを閉ざすので、大気開放弁２１７を開放して吸引ポンプで吸引を行っても、通路２２３Ａ，２２３Ｂからキャップ２０８内に空気が入ることができなくなる。
【０１１５】
そこで、上述したように通路２２３Ａ、２２３Ｂの液室２２１側を液体２３０の液面より高い位置に配置することで、液体２３０によって通路２２３Ａ、２２３Ｂが塞がれることを防止できる。
【０１１６】
次に、本発明の第１１実施形態について図３３を参照して説明する。図３３は同実施形態の説明に供するヘッド及びキャップ部分の模式的断面説明図である。
【０１１７】
本実施形態では、前記第７実施形態の構成において、吸引経路２１１、２１２を別経路としてそれぞれ吸引ポンプに接続したものである。
【０１１８】
このように構成した場合には、下側になる吸引口２１１ａ又は２１２ａを通じてのみ吸引を行うことができる。
【０１１９】
次に、本発明の第１２実施形態について図３４を参照して説明する。図３４は同実施形態の説明に供するヘッド及びキャップ部分の模式的断面説明図である。
【０１２０】
本実施形態では、前記第７実施形態の構成において、吸引経路２１１、２１２と共通経路２１３との間に切り替え弁２４０を配置したものである。
【０１２１】
このように構成しても、切り替え弁２４０を切り替えることで、下側になる吸引口２１１ａ又は２１２ａを通じてのみ吸引を行うことができる。
【０１２２】
次に、本発明の第１３実施形態について図３５及び図３６を参照して説明する。図３５は同実施形態の説明に供するキャップ部分の模式的断面説明図、図３６は図３５のＤ−Ｄ線に沿う断面説明図である。
【０１２３】
本実施形態は、記録ヘッドを、液滴を垂直方向に沿って上方に吐出させる位置と、液滴を斜め下方或いは水平方向に吐出させる位置との間で変位できるようにした例であり、図３５及び図３６では液滴を垂直方向に沿って上方に吐出させる位置で図示している。
【０１２４】
ここで、キャップ２０８の側面に液室部材２２２が配置されている。そして、大気開放路２１６及び通路２２３Ａ、２２３Ｂは液体２３０の液面よりも上方に位置して設けられている。
【０１２５】
このように構成した場合には、液滴を垂直方向に沿って上方に吐出させる（ノズル面が上を向いている）状態では、大気開放路２１６及び通路２２３Ａ、２２３Ｂは液体２３０によって塞がれない。この状態から記録ヘッドを傾けた（水平を含む）ときには、下側になった通路２２３が液体２３０で塞がれるので、ノズル面に気泡が付着することなく維持回復を行うことができる。
【０１２６】
これに対し、ノズル面が上を向いている場合に液室の通路２２３が全部塞がっていると、キャップ２０８に空気を入れることができず、デキャップ前にキャップ２０８内の廃液を空にすることができず、液垂れが生じることになる。
【０１２７】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【０１２８】
また、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。
【０１２９】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【０１３０】
また、「画像」とは平面的なものに限らず、立体的に形成されたものに付与された画像、また立体自体を三次元的に造形して形成された像も含まれる。
【０１３１】
また、画像形成装置には、特に限定しない限り、シリアル型画像形成装置及びライン型画像形成装置のいずれも含まれる。
【符号の説明】
【０１３２】
３  キャリッジ
４  記録ヘッド
８  吸引キャップ
８１  接触部
８２  キャップ本体
８３ａ  大気開放口
８３Ａ、８３Ｂ  大気開放弁
８４、８４Ａ、８４Ｂ  吸引口部
８５  大気開放機構
２０４  記録ヘッド
２０８  キャップ
２１１ａ、２１２ａ  吸引口
２１１、２１２  吸引経路
２１３  共通経路
２１５  大気開放部
２１６  大気開放路
２１７  大気開放弁
２１８、２１８Ａ〜２１８Ｃ  気液分離膜
２２１  液室
２２２  液室部材
２２３Ａ、２２３Ｂ  通路
２３０  液体
【図１】
2014014971.tif 000003
【図２】
2014014971.tif 000004
【図３】
2014014971.tif 000005
【図４】
2014014971.tif 000006
【図５】
2014014971.tif 000007
【図６】
2014014971.tif 000008
【図７】
2014014971.tif 000009
【図８】
2014014971.tif 000010
【図９】
2014014971.tif 000011
【図１０】
2014014971.tif 000012
【図１１】
2014014971.tif 000013
【図１２】
2014014971.tif 000014
【図１３】
2014014971.tif 000015
【図１４】
2014014971.tif 000016
【図１５】
2014014971.tif 000017
【図１６】
2014014971.tif 000018
【図１７】
2014014971.tif 000019
【図１８】
2014014971.tif 000020
【図１９】
2014014971.tif 000021
【図２０】
2014014971.tif 000022
【図２１】
2014014971.tif 000023
【図２２】
2014014971.tif 000024
【図２３】
2014014971.tif 000025
【図２４】
2014014971.tif 000026
【図２５】
2014014971.tif 000027
【図２６】
2014014971.tif 000028
【図２７】
2014014971.tif 000029
【図２８】
2014014971.tif 000030
【図２９】
2014014971.tif 000031
【図３０】
2014014971.tif 000032
【図３１】
2014014971.tif 000033
【図３２】
2014014971.tif 000034
【図３３】
2014014971.tif 000035
【図３４】
2014014971.tif 000036
【図３５】
2014014971.tif 000037
【図３６】
2014014971.tif 000038